【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
液体を収容するための液体収容室を有する筐体と、
前記液体を外部に供給するための液体供給口と、前記液体収容室と大気とを
連通させるための大気連通口と、が形成された突出部と、
前記突出部に着脱可能に装着され、前記液体供給口及び前記大気連通口を覆う封止部材と、
を備える液体収容容器。
【請求項２】
前記封止部材は、把持部を有し、
前記把持部は前記大気連通口側に形成されている、
請求項１に記載の液体収容容器。
【請求項３】
前記封止部材は、前記突出部に対して所定方向に分離可能に形成されており、
前記大気連通口は、前記液体供給口よりも前記所定方向の上流側に配置され
ている、
請求項１に記載の液体収容容器。
【請求項４】
前記封止部材における、前記液体供給口を覆う第一部分と前記大気連通口を
覆う第二部分との間には溝が形成されている、
請求項１乃至３のいずれか一項に記載の液体収容容器。
【請求項５】
前記封止部材と前記筐体は連結部材により連結されている、
請求項１乃至４のいずれか一項に記載の液体収容容器。
【請求項６】
前記筐体は、前記突出部から分離された封止部材を保持する保持部を有する、
請求項１乃至５のいずれか一項に記載の液体収容容器。
【請求項７】
前記突出部は、平坦に形成された先端部を有し、
前記液体供給口及び前記大気連通口は、前記先端部に設けられている、
請求項１乃至７のいずれか一項に記載の液体収容容器。
【請求項８】
前記封止部材はキャップである、請求項１乃至７のいずれか一項に記載の液
体収容容器。
【請求項９】
液体収容容器に着脱可能に装着される封止部材であって、
前記液体収容容器は、
液体を収容するための液体収容室を有する筐体と、
前記液体を外部に供給するための液体供給口と、前記液体収容室と大気と
を連通させるための大気連通口と、が形成された突出部と、
を備え、
前記封止部材は、
前記突出部に着脱可能に装着され、前記液体供給口及び前記大気連通口を
覆う、
封止部材。
【請求項１０】
前記封止部材は、把持部を備え、
前記把持部は前記大気連通口側に形成されている、
請求項９に記載の封止部材。
【請求項１１】
前記封止部材における、前記液体供給口を覆う第一部分と前記大気連通口を
覆う第二部分との間には溝が形成されている、
請求項９又は１０に記載の封止部材。
【請求項１２】
前記封止部材と前記筐体は連結部材により連結されている、
請求項９乃至１１のいずれか一項に記載の封止部材。
【請求項１３】
前記突出部は、平坦に形成された先端部を有し、
前記液体供給口及び前記大気連通口は、前記先端部に設けられている、
請求項８乃至１２のいずれか一項に記載の封止部材。
【請求項１４】
液体収容容器に着脱可能に装着されるキャップであって、
前記液体収容容器は、
液体を収容するための液体収容室を有する筐体と、
前記液体を外部に供給するための液体供給口と、前記液体収容室と大気と
を連通させるための大気連通口と、が形成された突出部と、
を備え、
前記キャップは、
前記突出部に着脱可能に装着され、前記液体供給口及び前記大気連通口を
覆う、
キャップ。
【請求項１５】
前記キャップは、把持部を備え、
前記把持部は前記大気連通口側に形成されている、
請求項１４に記載のキャップ。
【請求項１６】
前記キャップにおける、前記液体供給口を覆う第一部分と前記大気連通口を
覆う第二部分との間には溝が形成されている、
請求項１４又は１５に記載のキャップ。
【請求項１７】
前記キャップと前記筐体は連結部材により連結されている、
請求項１４乃至１６のいずれか一項に記載のキャップ。
【請求項１８】
前記突出部は、平坦に形成された先端部を有し、
前記液体供給口及び前記大気連通口は、前記先端部に設けられている、
請求項１４乃至１７のいずれか一項に記載のキャップ。
【手続補正２】
【補正対象書類名】明細書
【補正対象項目名】発明の名称
【補正方法】変更
【補正の内容】
【発明の名称】液体収容容器、封止部材、及びキャップ
【手続補正３】
【補正対象書類名】明細書
【補正対象項目名】０００７
【補正方法】変更
【補正の内容】
【０００７】
本発明に係る液体収容容器は、液体を収容するための液体収容室を有する筐
体と、液体を外部に供給するための液体供給口と、液体収容室と大気とを連通
させるための大気連通口と、が形成された突出部と、突出部に着脱可能に装着
され、液体供給口及び大気連通口を覆う封止部材と、を備える。
このような構成によれば、筐体の突出部に装着された封止部材を当該突出部
に対して分離させることにより、液体供給口及び大気連通口が共に開放される
ことになる。液体供給口及び大気連通口が一動作で開放されるため、それぞれ
を別個に開放する場合に比べて手間を省くことができる。また、封止部材が筐
体の突出部に装着されているため、分離の際には封止部材を把持しやすくなる。
これにより、ハンドリング性の高い液体収容容器を得ることができる。
【手続補正４】
【補正対象書類名】明細書
【補正対象項目名】０００８
【補正方法】変更
【補正の内容】
【０００８】
また、封止部材は把持部を有し、把持部は大気連通口側に形成されている、
構成としてもよい。
これにより、液体供給口及び大気連通口のうち、大気連通口が先に開放され、
当該大気連通口が開放された後に液体供給口が開放され、液体収容室の圧力が
大気と均衡になった状態で液体供給口が開放されることになる。これにより、封止部材を分離させる際に液体収容室からの液体が液体供給口から漏出したり、液体供給口から液体収容室へ外気を引き込んでしまったりするのを防ぐことができる。
【手続補正５】
【補正対象書類名】明細書
【補正対象項目名】０００９
【補正方法】変更
【補正の内容】
【０００９】
また、封止部材は、突出部に対して所定方向に分離可能に形成されており、大気連通口は、液体供給口よりも所定方向の上流側に配置されている、構成としてもよい。
これにより、液体供給口及び大気連通口のうち、大気連通口が先に開放され、
当該大気連通口が開放された後に液体供給口が開放され、液体収容室の圧力が
大気と均衡になった状態で液体供給口が開放されることになる。これにより、封止部材を分離させる際に液体収容室からの液体が液体供給口から漏出したり、液体供給口から液体収容室へ外気を引き込んでしまったりするのを防ぐことができる。
【手続補正６】
【補正対象書類名】明細書
【補正対象項目名】００１０
【補正方法】変更
【補正の内容】
【００１０】
また、封止部材における、液体供給口を覆う第一部分と大気連通口を覆う第
二部分との間には溝が形成されている、構成としてもよい。
これにより、第一部分が液体供給口を閉塞する状態としつつ第二部分のみが
突出部から分離されるように溝で封止部材を折り曲げることができる。この場
合、液体供給口が開放される前に大気連通口が開放されることになる。大気連
通口を開放した後に液体供給口を開放することにより、液体収容室の圧力が大
気と均衡になった状態で液体供給口が開放されることになる。これにより、封
止部材を分離させる際に液体収容室からの液体が液体供給口から漏出したり、
液体供給口から液体収容室へ外気を引き込んでしまったりするのを防ぐこと
ができる。
【手続補正７】
【補正対象書類名】明細書
【補正対象項目名】００１１
【補正方法】変更
【補正の内容】
【００１１】
また、封止部材と筐体は連結部材により連結されている、構成とすることが
できる。
これにより、封止部材が筐体に連結されているため、筐体と封止部材とを一
体的に取り扱うことができ、液体収容容器のハンドリング性が向上することに
なる。
【手続補正８】
【補正対象書類名】明細書
【補正対象項目名】００１２
【補正方法】変更
【補正の内容】
【００１２】
また、筐体は、突出部から分離された封止部材を保持する保持部を有する、
構成とすることができる。
これにより、突出部への装着が解除された状態の封止部材が筐体に保持され
るため、筐体と封止部材とをまとめて取り扱うことができる。例えば、液体を
供給した後、筐体と封止部材とをまとめてリサイクルすることができるので、
液体収容容器のハンドリング性が向上することになる。
【手続補正９】
【補正対象書類名】明細書
【補正対象項目名】００１３
【補正方法】変更
【補正の内容】
【００１３】
また、突出部は、平坦に形成された先端部を有し、液体供給口及び大気連通
口は、先端部に設けられている、構成とすることができる。
これにより、液体供給口及び大気連通口が共に突出部のうち平坦に形成され
た先端部に設けられているため、液体供給口及び大気連通口を覆う封止部材の
構成を平面状に近い構成とすることができ、封止部材の構成をシンプルにする
ことができる。
【手続補正１０】
【補正対象書類名】明細書
【補正対象項目名】００１４
【補正方法】変更
【補正の内容】
【００１４】
本発明に係る封止部材は、液体収容容器に着脱可能に装着される封止部材で
あって、液体収容容器は、液体を収容するための液体収容室を有する筐体と、
液体を外部に供給するための液体供給口と、液体収容室と大気とを連通させる
ための大気連通口と、が形成された突出部と、を備え、封止部材は、突出部に
着脱可能に装着され、液体供給口及び大気連通口を覆う。
このような構成によれば、筐体の突出部に装着された封止部材を当該突出部
に対して分離させることにより、液体供給口及び大気連通口が共に開放される
ことになる。液体供給口及び大気連通口が一動作で開放されるため、それぞれ
を別個に開放する場合に比べて手間を省くことができる。また、封止部材が筐
体の突出部に装着されているため、分離の際には封止部材を把持しやすくなる。これにより、ハンドリング性の高い液体収容容器を得ることができる。
【手続補正１１】
【補正対象書類名】明細書
【補正対象項目名】００１５
【補正方法】変更
【補正の内容】
【００１５】
また、封止部材は、把持部を備え、把持部は大気連通口側に形成されている、構成とすることができる。
これにより、液体供給口及び大気連通口のうち、大気連通口が先に開放され、
当該大気連通口が開放された後に液体供給口が開放され、液体収容室の圧力が
大気と均衡になった状態で液体供給口が開放されることになる。これにより、封止部材を分離させる際に液体収容室からの液体が液体供給口から漏出したり、液体供給口から液体収容室へ外気を引き込んでしまったりするのを防ぐことができる。
【手続補正１２】
【補正対象書類名】明細書
【補正対象項目名】００１６
【補正方法】変更
【補正の内容】
【００１６】
また、封止部材における、前記液体供給口を覆う第一部分と前記大気連通口
を覆う第二部分との間には溝が形成されている、構成とすることができる。
これにより、第一部分が液体供給口を閉塞する状態としつつ第二部分のみが
突出部から分離されるように溝で封止部材を折り曲げることができる。この場
合、液体供給口が開放される前に大気連通口が開放されることになる。大気連
通口を開放した後に液体供給口を開放することにより、液体収容室の圧力が大
気と均衡になった状態で液体供給口が開放されることになる。これにより、封
止部材を分離させる際に液体収容室からの液体が液体供給口から漏出したり、
液体供給口から液体収容室へ外気を引き込んでしまったりするのを防ぐこと
ができる。
【手続補正１３】
【補正対象書類名】明細書
【補正対象項目名】００１７
【補正方法】変更
【補正の内容】
【００１７】
また、封止部材と筐体は連結部材により連結されている、構成とすることが
できる。
これにより、封止部材が筐体に連結されているため、筐体と封止部材とを一
体的に取り扱うことができ、液体収容容器のハンドリング性が向上することに
なる。
【手続補正１４】
【補正対象書類名】明細書
【補正対象項目名】００１８
【補正方法】変更
【補正の内容】
【００１８】
また、突出部は、平坦に形成された先端部を有し、液体供給口及び大気連通
口は、先端部に設けられている、構成とすることができる。
これにより、液体供給口及び大気連通口が共に突出部のうち平坦に形成され
た先端部に設けられているため、液体供給口及び大気連通口を覆う封止部材の
構成を平面状に近い構成とすることができ、封止部材の構成をシンプルにする
ことができる。
【手続補正１５】
【補正対象書類名】明細書
【補正対象項目名】００１９
【補正方法】変更
【補正の内容】
【００１９】
本発明に係るキャップは、液体収容容器に着脱可能に装着されるキャップで
あって、液体収容容器は、液体を収容するための液体収容室を有する筐体と、液体を外部に供給するための液体供給口と、液体収容室と大気とを連通させる
ための大気連通口と、が形成された突出部と、を備え、キャップは、突出部に
着脱可能に装着され、液体供給口及び大気連通口を覆う。
【手続補正１６】
【補正対象書類名】明細書
【補正対象項目名】００２０
【補正方法】変更
【補正の内容】
【００２０】
このような構成によれば、筐体の突出部に装着されたキャップを当該突出
部に対して分離させることにより、液体供給口及び大気連通口が共に開放されることになる。液体供給口及び大気連通口が一動作で開放されるため、それぞれを別個に開放する場合に比べて手間を省くことができる。また、キャップが筐体の突出部に装着されているため、分離の際にはキャップを把持しやすくなる。これにより、ハンドリング性の高い液体収容容器を得ることができる。